【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】
複数のサービスがパケット多重化されたトランスポートストリームを受信する受信手段と、
受信したトランスポートストリームから、所望のサービスに関するパケットのうち、エレメンタリーストリーム、ＰＡＴ、ＰＭＴのパケットを選択して変換ストリームを生成する変換手段と、
変換ストリームを記録装置に与えるための記録用データ出力手段とを備え、
前記変換手段は、ＥＣＭに関する記述をＰＭＴから除いて変換ストリームを生成することを特徴とする受信装置。
【請求項２】
複数のサービスがパケット多重化されたトランスポートストリームを受信する受信手段と、
受信したトランスポートストリームから、所望のサービスに関するパケットのうち、エレメンタリーストリーム、ＰＡＴ、ＰＭＴのパケットを選択して変換ストリームを生成し、記録媒体に記録する変換記録手段と、
記録媒体に記録された変換ストリームを読み出す読出手段と、
読出手段からの変換ストリームを受けて、サービス内容を再生して出力する復元手段と、
を備えたデジタル放送のための記録再生装置であって、
前記変換記録手段は、ＥＣＭに関する記述をＰＭＴから除いて変換ストリームを生成して記録することを特徴とする記録再生装置。
【請求項３】
複数のサービスがパケット多重化されたトランスポートストリームを受信する受信ステップと、
受信したトランスポートストリームから、所望のサービスに関するパケットのうち、エレメンタリーストリーム、ＰＡＴ、ＰＭＴのパケットを選択して変換ストリームを生成する変換ステップと、
変換ストリームを記録装置に与えるための記録用データ出力ステップとを備え、
前記変換ステップは、ＥＣＭに関する記述をＰＭＴから除いて変換ストリームを生成することを特徴とする受信方法。
【請求項４】
複数のサービスがパケット多重化されたトランスポートストリームを受信する受信手段と、
受信したトランスポートストリームから、所望のサービスに関するパケットのうち、エレメンタリーストリーム、ＰＡＴ、ＰＭＴのパケットを選択して変換ストリームを生成する変換手段と、
変換ストリームを記録装置に与えるための記録用データ出力手段とを備え、
前記変換手段は、記録するサービスが不連続となる時点に、不連続を示す制御データを挿入した変換ストリームを生成することを特徴とする受信装置。
【請求項５】
複数のサービスがパケット多重化されたトランスポートストリームを受信する受信手段と、
受信したトランスポートストリームから、所望のサービスに関するパケットのうち、エレメンタリーストリーム、ＰＡＴ、ＰＭＴのパケットを選択して変換ストリームを生成し、記録媒体に記録する変換手段と、
記録媒体に記録された変換ストリームを読み出す読出手段と、
読出手段からの変換ストリームを受けて、サービス内容を再生して出力する復元手段とを備え、
前記変換手段は、記録するサービスが不連続となる時点に、不連続を示す制御データを挿入した変換ストリームを生成して記録する記録再生装置。
【請求項６】
インタラクティブ性を実現するためのインタラクティブ制御データを含んでおり、パケット化されたトランスポートストリームを受信する受信手段と、
トランスポートストリームから所望のサービスに関するパケットが選択されインタラクティブ制御データを含んで構成された変換ストリームを受けるための復元用データ入力端子と、
操作者の操作入力を受ける操作受付手段と、
受信手段からのトランスポートストリームまたは復元用データ入力端子からの変換ストリームを受けて、操作用画像を含むサービス内容信号を復元するとともに、当該ストリーム中のインタラクティブ制御データに基づき、操作者の操作入力にしたがって、出力するサービス内容信号の内容をインタラクティブに変更し、読み出された変換ストリーム中から不連続を示す制御データを見出すと、当該不連続を示す制御データより前に記録されていたナビゲーションデータに基づくインタラクティブな処理を行わないことを特徴とする復元手段と、
を備えた受信装置。
【請求項７】
前記トランスポートストリームには、互いに関連付けられた複数のインタラクティブ制御データを組とし、当該組が複数回繰り返して伝送されており、
前記インタラクティブ制御データは、選択状態と非選択状態の表示状態を有する操作ボタンを表示するためのデータを有し、操作ボタンに関連付けて、画像データのリンク先情報または表示データを有していること
を特徴とする請求項４または請求項６記載の受信装置。
【請求項８】
トランスポートストリームから所望のサービスに関するパケットが選択されインタラクティブ制御データを含んで構成された変換ストリームを記録媒体から読み出して、インタラクティブ性を有するサービスを再生するための再生装置であって、
記録媒体に記録された変換ストリームを読み出す読出手段と、
操作者の操作入力を受ける操作受付手段と、
読出手段からの変換ストリームを受けて、操作用画像を含むサービス内容信号を復元するとともに、当該ストリーム中のインタラクティブ制御データに基づき、操作者の操作入力にしたがって、出力するサービス内容信号の内容をインタラクティブに変更し、読み出された変換ストリーム中から不連続を示す制御データを見出すと、当該不連続を示す制御データより前に記録されていたナビゲーションデータに基づくインタラクティブな処理を行わないことを特徴とする復元手段と、
を備えた再生装置。
【請求項９】
プログラムスクリプトを含むトランスポートストリームを受信する受信手段と、
受信したトランスポートストリームから、所望のサービスに関するパケットを選択し、プログラムスクリプトを含んだ変換ストリームを生成し、記録媒体に記録する変換記録手段と、
記録媒体に記録された変換ストリームを読み出す読出手段と、
操作者の操作入力を受ける操作受付手段と、
受信モードにおいては受信手段からのトランスポートストリームを受け、再生モードにおいては読出手段からの変換ストリームを受けて、サービス内容信号を復元するとともに、当該ストリーム中のプログラムスクリプトに基づいた制御を行う復元手段とを備え、
前記復元手段は、当該プログラムスクリプトを実行する際に、受信モードと再生モードにおいて、異なった制御を行うことを特徴とする受信記録再生装置。
【請求項１０】
送信側において、サービス内容を含み、受信モードであるか再生モードであるかによって異なる処理内容を定めるプログラムスクリプトを含んだトランスポートストリームを送信し、
受信側において、受信したトランスポートストリームから、所望のサービスに関するパケットを選択し、前記プログラムスクリプトを含んだ変換ストリームを生成して記録媒体に記録し、
受信モードにおいては受信したトランスポートストリームにしたがって、再生モードにおいては記録媒体から読み出した変換ストリームにしたがって、サービス内容を復元し、
受信側においては、受信モードであるか再生モードであるかによって、出力する内容を変えるものであり、
受信モードと再生モードにおける内容の変更は、前記プログラムスクリプトに基づいてなされること、
を特徴とする通信方法。
【請求項１１】
パケット化され、再生環境に対応して処理すべき内容を定めるプログラムスクリプトを含んだトランスポートストリームを受信する受信手段と、
受信したトランスポートストリームから、所望のサービスに関するパケットを選択し、前記プログラムスクリプトを含んだ変換ストリームを生成する変換手段と、
変換手段からの変換ストリームを記録媒体に記録する記録手段と、
記録媒体に記録された変換ストリームを読み出す読出手段と、
受信モードにおいては受信手段からのトランスポートストリームを受け、再生モードにおいては読出手段からの変換ストリームを受けて、サービス内容信号を復元する復元手段とを備え、
前記復元手段は、再生時の再生環境に応じて制御内容を変えるものであり、
前記制御内容の変更は、前記プログラムスクリプトに基づいてなされること、
を特徴とする記録再生装置。
【請求項１２】
復元手段は、再生時に応じて制御内容を変え、出力するサービス内容信号の内容を変えることを特徴とする請求項１１記載の記録再生装置。